(57)【要約】【課題】  ゴミを排出する際にゴミ箱を引っ繰り返す必要がなく、また、ある程度ゴミが溜まっているゴミ袋の中へも、ゴミを素早く排出することが可能なゴミ箱を提供する。【解決手段】  ゴミ箱の底部から側面にかけて底蓋が移動可能なゴミ箱。【選択図】図１
2009269756.tif 000002
【特許請求の範囲】
【請求項１】
ゴミ箱の底部から側面にかけて底蓋が移動可能なゴミ箱で、該底蓋の移動により開放される該底部よりゴミを排出することを特徴とするゴミ箱。
【請求項２】
請求項１に記載したゴミ箱であって、該底蓋が該底部において分離及び連結可能な構造であり、分離した該底蓋が該側面において異なる場所へと移動することを特徴とするゴミ箱。
【請求項３】
請求項１または請求項２のいずれかに記載したゴミ箱であって、該底蓋がシャッター構造で、該底部から該側面にかけて設けられたガイドレールを利用し移動することを特徴とするゴミ箱。
【請求項４】
請求項１から請求項３までのいずれか１項に記載したゴミ箱であって、該底蓋と該側面のいずれか一方またはその両方に、取っ手を備えたゴミ箱。
【発明の詳細な説明】
【技術分野】
【０００１】  本発明は、ゴミを簡単に排出することを可能とするゴミ箱に関するものである。
【背景技術】
【０００２】  ゴミ箱のゴミを排出する際の負担を軽くすることを目的に発明されたゴミ箱には、例えば特開２０００‐８５９０７及び実開平７‐９１６のようにゴミ箱を引っ繰り返した後、底板をゴミ投入口方向へスライドさせることでゴミを押し出して排出する構造のゴミ箱や、特開平８−２０４０５及び実開昭６２−１７１５０５のように底板がゴミ箱下方へ開くことでゴミ箱の底部からゴミを排出する構造のものがあった。
【発明の開示】
【発明が解決しようとする課題】
【０００３】  しかしながら、ゴミを排出する際、特にゴミ袋へゴミを移さなければならない場合、ゴミ箱を引っ繰り返す必要があるものは、ゴミ袋の外へゴミを溢してしまうことが多かった。【０００４】  また底蓋が開くことで底部よりゴミを排出するタイプのゴミ箱であっても、従来のものは底蓋が下方へ開くため、ゴミ袋にある程度のゴミが溜まっている場合、そのゴミが障害となり完全に底蓋を開くことができず不便であった。【０００５】  本発明はこのような問題を解決しようとするもので、ゴミを排出する際にゴミ箱を引っ繰り返す必要がなく、また、ある程度ゴミが溜まっているゴミ袋の中でも、ゴミ箱の底部を完全に開放し、ゴミを素早く排出することが可能なゴミ箱を提供するものである。
【課題を解決するための手段】
【０００６】  本発明の骨子は、次の通りである。
（１）ゴミ箱の底部から側面にかけて底蓋が移動可能なゴミ箱で、該底蓋の移動により開放される該底部よりゴミを排出することを特徴とするゴミ箱である。【０００７】（２）前記（１）に記載したゴミ箱であって、該底蓋が該底部において分離及び連結可能な構造であり、分離した該底蓋が該側面において異なる場所へと移動することを特徴とするゴミ箱である。【０００８】（３）前記（１）または前記（２）のいずれかに記載したゴミ箱であって、該底蓋がシャッター構造で、該底部から該側面にかけて設けられたガイドレールを利用し移動することを特徴とするゴミ箱である。【０００９】（４）前記（１）から前記（３）までのいずれか一つに記載したゴミ箱であって、該底蓋と該側面のいずれか一方またはその両方に、取っ手を備えたゴミ箱である。【００１０】  先ず、第一の発明を詳細に説明すると次の通りである。すなわち、「底部から側面にかけて底蓋が移動」とは、例えば底蓋がゴミ箱枠体から一旦わずかに離れるが、底蓋の内面は動作の最初から最後までゴミ箱側を向いているといった実質的平行移動が好ましく、また、底蓋がゴミ箱の表面を底部から側面までその輪郭に沿ってスライドするといった移動が最も好ましい。【００１１】  次に、第二の発明を詳細に説明すると次の通りである。すなわち、「底部において分離」及び、「異なる場所」とは、例えばゴミ箱の枠体が、底面が正四角形の直方体であるとき、底蓋は、底面において一組の相対する辺の各中央どうしを結んだ線に沿って二つに分割し、前記線に対し両直角方向に位置する二つの側面、すなわち相対する二つの側面の内、それぞれ近い側の側面へと移動する構造が最も好ましい。【００１２】  また、ゴミ箱枠体が他の形の場合で底蓋が二つに分割された場合も、「異なる場所」は、相対する位置関係にあることが最も好ましい。【００１３】  続いて、第三の発明を詳細に説明すると次の通りである。すなわち、「シャッター構造」とは、別の表現を用いると簾状の構造でもあり、例えば複数の硬質な細長い板のそれぞれ長手の縁どうしが屈曲可能に繋ぎ合わされて一枚となったものが好ましく、また、柔軟なシートに前記板を長手の縁どうしが屈曲可能に隣り合うよう並べて貼り付けたものが最も好ましい。【００１４】  また「ガイドレール」とは、シャッター構造の該底蓋の移動する方向を定め、さらに単体では屈曲してしまう該底蓋を、ゴミ箱底部において実質的平面に保つ役目をなす構造のものが最も好ましい。【００１５】  続いて、第四の発明を詳細に説明すると次の通りである。すなわち、「取っ手」とは、底蓋を引き上げたり押し戻したりする際に、指や掌をかけることが可能なものであれば、単に枠体や底蓋の一部が凸状または凹状となった程度のものも含んだものである。【００１６】  追加可能な事項としては、ゴミ投入口に開閉式の蓋が付いたものが追加できる。また、当該業者が行っているあらゆる追加事項は一々記すまでもなく、全て適用可能である。関連の業界辞典や、ハンドブック、便覧に記載のことも、一々記すまでもなく全て適宜適用可能である。
【発明の効果】
【００１７】  本発明によるゴミ箱は、底部よりゴミを排出するため、ゴミ箱を引っ繰り返す必要がなく、よってゴミ袋にゴミを移す際も袋の外へゴミを溢す心配がない。【００１８】  また、ゴミ箱の中のゴミが圧縮された状態のため、排出口より自然にゴミが落ちてくれない場合であっても、手を下から入れゴミを掻き出すといった面倒な作業の必要がなく、底部開放後、上からゴミを軽く押すだけで簡単にゴミの排出が可能である。【００１９】  また、ゴミ箱底部の開閉方法が、ゴミ箱下方の空間を大きく侵すことなく底蓋を側面へ移動させる方法のため、ゴミ袋にある程度のゴミが溜まっていても完全に底部を開放することが可能であり、よってゴミの排出を素早く行うことが可能である。【００２０】  また、ゴミ袋に既にかなりの量のゴミが溜まっていて、ゴミを入れるスペースが足りない場合、該ゴミ箱の底部をゴミ袋に挿入し下方へ押し付けることにより、既存のゴミを圧縮しスペースを作り、そのまま底部を開放しゴミを排出するといったことも可能である。
【実施例１】
【００２１】  本実施例のゴミ箱は、図１から図３に示されるように、底部と天井に壁を持たない実質的直方体で縦長のゴミ箱枠体１と、枠体１の側面から底部を通り相対する側面にかけてＵ字型に、対をなして取り付けられた２本のガイドレール２と、そのガイドレール２に、ゴミ箱底部中央で二つに分離し別々の側面へと移動可能に取り付けられた底蓋３とからなる。【００２２】  また、ガイドレール２は溝式とし、枠体１の側面から底部へ移る部分は、底蓋３の移動が滑らかに行えるよう緩やかなカーブとなっており、また、メンテナンスを考えて底蓋３をレール上端より引き抜くことが可能な構造である。【００２３】  また、底蓋３は、複数の硬質な細長い板７を、柔軟なシート６に長手が隣り合うように並べて貼り付けた屈曲可能な、いわゆるシャッタータイプの風呂蓋に似た構造のもの２枚からなり、その２枚がゴミ箱底部中央において分離及び連結自在とするため、それぞれの連結する側の端に凸部８と凹部９を設け、はめ込み式としたものである。【００２４】  また、板７はガイドレール２のカーブする位置においても底蓋３が滑らかに動き、メンテナンスの際に底蓋３をガイドレール２上端から引き抜きやすくするため、その断面が実質的台形または実質的半円となるものが好ましく、前記実質的台形の場合、外側となる面の長手の角を落としたものが好ましい。また、シート６はゴミ箱底部においてゴミに直接触れるので、汚れた場合の手入れを考え、ビニール材料から形成されることが好ましい。【００２５】  本実施例のゴミ箱のように、底蓋３を二つに分けて左右両側面へ移動させるゴミ箱の場合、図１に示されるように、側面における取っ手５の位置は、底蓋３が移動する各側面の上部中央が最も好ましく、また底蓋３における取っ手４の位置は、取っ手５に一番近い端の中央が最も好ましい。【００２６】  この場合、底蓋３の長さ、すなわち取っ手４と取っ手５の位置関係について説明すると次の通りである。本実施例のゴミ箱がゴミを排出する際、図４に示されるような持ち方となるため、底蓋３を完全に閉じている状態で、取っ手５に掌または親指をかけた状態から底蓋３の端に位置する取っ手４に指がかけられ、なお且つ、取っ手４により底蓋３を引き上げた際にその先端が、取っ手５の位置に到達する前に底部が完全に解放されるといった長さとすることが最も好ましい。
【実施例２】
【００２７】  本実施例のゴミ箱は、底蓋が分離せずに一側面へ移動するゴミ箱であり、実施例１との違いは、図５から図７に示されるように、ガイドレール１１がＬ字型となっており、また底蓋１２を閉じた状態を保つため、はめ込み式の凹部１６を、底蓋１２の移動する側面に相対する側面の下部に設け、凸部１５を底蓋１２における凹部１６と接する側の端に設けてある。さらに、図８に示されるように、側面の取っ手１４は、底蓋１２を引き上げる際に枠体１０を片手で安定して支えられるよう、底蓋１２の移動する側面の両側に隣接する側面のそれぞれの上部中央に備えたものである。
【実施例３】
【００２８】  他の実施例として、底蓋が１枚の硬質な板からなるゴミ箱があり、図９から図１０に示されるように、底蓋１９が引っ張りコイルばね１８により枠体１７に取り付けられた構造となっており、ばねの特性を利用して底部と側面との間を移動可能であり、なお且つ底部と側面それぞれに停まることを可能とした構造である。取っ手２０は底蓋１９の中央部分を窪ませて取り付けることが好ましい。また、本実施例の引っ張りコイルばね１８はゴム紐のような伸縮可能な他の材に変更可能である。【００２９】  以上、本発明による実施例を複数示したが、これらは、本発明の有効性を示すもので、これらの実施例により、本発明が限定解釈されるものではない。むしろ、更なる展開の可能性を示すものである。
【産業上の利用可能性】
【００３０】  本発明は、単にゴミ箱としてだけではなく、箱を引っ繰り返さずに中身を簡単に空けることが求められる用途の入れ物として、例えばオモチャ箱、または、農業及び漁業の収穫物用容器にも利用可能である。
【図面の簡単な説明】
【００３１】
【図１】  本発明、実施例１の斜視図である。
【図２】  本発明、実施例１の底蓋未装着状態での断面図である。
【図３】  本発明、実施例１の底蓋の断面図である。
【図４】  本発明、実施例１のゴミ排出時の取っ手の使い方である。
【図５】  本発明、実施例２の斜視図である。
【図６】  本発明、実施例２の底蓋未装着状態での断面図である。
【図７】  本発明、実施例２の底蓋装着状態での断面図の一部である。
【図８】  本発明、実施例２のゴミ排出時の取っ手の使い方である。
【図９】  本発明、実施例３の斜視図である。
【図１０】  本発明、実施例３の底蓋を側面に移動した状態の斜視図である。
【符号の説明】
【００３２】１    枠体
２    ガイドレール
３    底蓋
４    取っ手（底蓋用）
５    取っ手（側面用）
６    シート
７    板
８    凸部（はめ込み式）
９    凹部（はめ込み式）
１０  枠体
１１  ガイドレール
１２  底蓋
１３  取っ手（底蓋用）
１４  取っ手（側面用）
１５  凸部（はめ込み式）
１６  凹部（はめ込み式）
１７  枠体
１８  引っ張りコイルばね
１９  底蓋
２０  取っ手（底蓋用）
【図１】
2009269756.tif 000003
【図２】
2009269756.tif 000004
【図３】
2009269756.tif 000005
【図４】
2009269756.tif 000006
【図５】
2009269756.tif 000007
【図６】
2009269756.tif 000008
【図７】
2009269756.tif 000009
【図８】
2009269756.tif 000010
【図９】
2009269756.tif 000011
【図１０】
2009269756.tif 000012